(57)【要約】【課題】簡易な構成でもって、駆動処理の進行状況をユーザに対して分かりやすく報知できるプロジェクタを提供すること。【解決手段】本発明のプロジェクタは、橙色ＬＥＤおよび緑色ＬＥＤを備え、制御手段は、操作手段から出力された電源オン信号を取得する入力信号取得部と、電源オン指示信号に基づいてプロジェクタの初期化処理を実行する初期化処理部と、初期化処理開始時からの経過時間を取得する経過時間取得部と、経過時間に基づいて、橙色ＬＥＤおよび緑色ＬＥＤの点灯・消灯を交互に切り替える点灯切替制御部およびＬＥＤ制御部とを備え、点灯切替制御部およびＬＥＤ制御部は、経過時間が増加するにつれて、橙色ＬＥＤおよび緑色ＬＥＤの点灯・消灯の切替間隔を短くする。【選択図】図５
2007248870.tif 000002
【特許請求の範囲】
【請求項１】
光源ランプと、前記光源ランプから射出された光束を画像情報に応じて変調して光学像を形成する光変調装置と、前記光変調装置により形成された光学像を拡大投射する投射光学装置と、入力操作に応じて操作信号を出力する操作手段と、これらを含む装置本体の制御を行う制御手段と、これらを収納する外装筐体とを備えるプロジェクタであって、
前記外装筐体には発光部が設けられ、
前記制御手段は、
前記操作手段から出力され、前記プロジェクタの電源オンまたは電源オフを指示する駆動指示信号を取得する入力信号取得部と、
前記入力信号取得部により前記駆動指示信号が取得されると、前記プロジェクタの電源オン処理または電源オフ処理を実行する駆動処理部と、
前記駆動処理部による電源オン処理または電源オフ処理の進行度を取得する進行度取得部と、
前記進行度取得部により取得された進行度に基づいて、前記発光部の表示オン状態・表示オフ状態の切替制御を行う点灯切替制御部とを備え、
前記点灯切替制御部は、前記進行度取得部により取得された進行度が進むにつれて、前記発光部の表示オン状態・表示オフ状態の切替を序々に短くしていくことを特徴とするプロジェクタ。
【請求項２】
請求項１に記載のプロジェクタにおいて、
前記点灯切替制御部は、前記進行度取得部により取得された進行度が進むにつれて、前記発光部の表示オン状態・表示オフ状態が１回ずつ同間隔で切り替えられる周期を序々に短くしながら、前記発光部の切替制御を行うことを特徴とするプロジェクタ。
【請求項３】
請求項１に記載のプロジェクタにおいて、
前記点灯切替制御部は、前記進行度取得部により取得された進行度が進むにつれて、前記発光部の表示オン状態および表示オフ状態のいずれか一方の間隔を、表示オン状態および表示オフ状態のいずれか他方の間隔に序々に近づけながら、前記発光部の切替制御を行うことを特徴とするプロジェクタ。  
【請求項４】
請求項１〜請求項３のいずれかに記載のプロジェクタにおいて、
発光色の異なる２つの前記発光部を備え、
前記点灯切替制御部は、２つの前記発光部の表示オン状態・表示オフ状態をそれぞれ交互に切り替える制御を行うことを特徴とするプロジェクタ。
【請求項５】
請求項１〜請求項４のいずれかに記載のプロジェクタにおいて、
前記進行度取得部は、前記入力信号取得部により前記駆動指示信号が取得されると、前記光源ランプの周辺温度を取得し、
前記点灯切替制御部は、前記進行度取得部により取得された前記光源ランプの周辺温度に基づいて、前記発光部の表示オン状態・表示オフ状態の切替制御を行うことを特徴とするプロジェクタ。
【請求項６】
請求項１〜請求項４のいずれかに記載のプロジェクタにおいて、
前記進行度取得部は、前記入力信号取得部により前記駆動指示信号が取得されると、計時手段に計時を開始させて、前記駆動指示信号取得時からの経過時間を取得し、
前記点灯切替制御部は、前記進行度取得部により取得された前記経過時間に基づいて、前記発光部の表示オン状態・表示オフ状態の切替制御を行うことを特徴とするプロジェクタ。
【発明の詳細な説明】
【技術分野】
【０００１】
本発明は、プロジェクタに関する。
【背景技術】
【０００２】
従来、光源ランプから射出された光束を、画像情報に応じて変調して光学像を形成し、当該光学像を、投射画像としてスクリーン上に拡大投射するプロジェクタが利用されている。
このようなプロジェクタでは、電源オンボタンの押下から投射画像の投射までに待機時間を要する。これは、プロジェクタを適切な状態で起動する初期化処理を行っているため、もしくは、光源ランプを点灯可能な温度とするクールダウンまたはウォームアップを行っているためである。また、この待機時間は、プロジェクタの電源オフ時にも、状態保存処理や光源ランプのクールダウン等のために必要である。そして、この待機時間があとどのくらいで終了するのかを、ＬＥＤ（Light Emitting Diode）を用いてユーザに知らせるプロジェクタが開示されている（例えば、特許文献１および特許文献２参照）。
【０００３】
特許文献１に記載のプロジェクタは、光源ランプのクールダウン完了までの残り時間を、赤・緑一体型ＬＥＤの点灯によってユーザに知らせている。具体的には、クールダウン完了までの時間に応じて、赤・緑一体型ＬＥＤの赤色および緑色の発光比率を調節し、赤・緑一体型ＬＥＤの発光色を緑、オレンジそして赤と変化させることで、クールダウン完了までの残り時間を示している。
特許文献２に記載のプロジェクタは、光源ランプのクールダウンおよびウォームアップ完了までの残り時間を、複数の表示部またはインジケータによってユーザに知らせている。具体的には、光源ランプのウォームアップが進むにつれて表示部が１つずつ点灯していき、ウォームアップ完了と同時に全表示部が点灯する設定となっている。また、インジケータは、光源ランプのウォームアップが進むにつれて指標部の表示位置を移動させる設定となっている。
【０００４】
【特許文献１】特開２００３−１２１９２９号公報
【特許文献２】特開２００５−１７５８３号公報
【発明の開示】
【発明が解決しようとする課題】
【０００５】
しかしながら、特許文献１に記載のプロジェクタでは、赤・緑一体型ＬＥＤの発光色の変化によってクールダウン完了までの残り時間を示していることから、ユーザは、予めＬＥＤの発光色の意味を理解しておく必要がある。すなわち、発光色の意味を知らないユーザにとっては、ＬＥＤの発光色からクールダウン完了までの残り時間を知ることはできない。
また、特許文献２に記載のプロジェクタは、複数の表示部を備える必要がある。さらに、インジケータも指標部の表示位置を移動させるために複数の発光部を備える必要がある。このため、プロジェクタの構成が複雑であり、さらに、これら表示部およびインジケータの制御が複雑であるという課題がある。
【０００６】
本発明の目的は、簡易な構成でもって、駆動処理の進行状況をユーザに対して分かりやすく報知できるプロジェクタを提供することにある。
【課題を解決するための手段】
【０００７】
前記した目的を達するために、本発明のプロジェクタは、光源ランプと、前記光源ランプから射出された光束を画像情報に応じて変調して光学像を形成する光変調装置と、前記光変調装置により形成された光学像を拡大投射する投射光学装置と、入力操作に応じて操作信号を出力する操作手段と、これらを含む装置本体の制御を行う制御手段と、これらを収納する外装筐体とを備えるプロジェクタであって、前記外装筐体には発光部が設けられ、前記制御手段は、前記操作手段から出力され、前記プロジェクタの電源オンまたは電源オフを指示する駆動指示信号を取得する入力信号取得部と、前記入力信号取得部により前記駆動指示信号が取得されると、前記プロジェクタの電源オン処理または電源オフ処理を実行する駆動処理部と、前記駆動処理部による電源オン処理または電源オフ処理の進行度を取得する進行度取得部と、前記進行度取得部により取得された進行度に基づいて、前記発光部の表示オン状態・表示オフ状態の切替制御を行う点灯切替制御部とを備え、
前記点灯切替制御部は、前記進行度取得部により取得された進行度が進むにつれて、前記発光部の表示オン状態・表示オフ状態の切替を序々に短くしていくことを特徴とする。
【０００８】
発光部として、例えば、ＬＥＤ（Light Emitting Diode）、ＥＬ（electro-luminescence）ランプおよび白熱灯等が挙げられる。
電源オン処理または電源オフ処理の進行度として、例えば、電源オン処理または電源オフ処理開始からの経過時間、および、クールダウン中の光源ランプの周辺温度等が挙げられる。
【０００９】
これまでに、一体型ＬＥＤによる発光色の色変化によって電源オン処理または電源オフ処理の進行状況を報知するプロジェクタも開示されているが、これでは、ユーザが一体型ＬＥＤの発光色が持つ意味を予め理解しておく必要があった。
これに対し、本発明によれば、発光部は、プロジェクタの電源オン処理または電源オフ処理が進むにつれて、短い間隔で表示オン状態・表示オフ状態の切替を繰り返すようになる。ユーザは、この発光部の表示切替間隔の変化を基に、プロジェクタの電源オン処理または電源オフ処理の進行状況を把握することができる。すなわち、ユーザは、発光部が表示オン状態・表示オフ状態の切替をゆっくり繰り返している場合は、プロジェクタの駆動処理完了までまだしばらく時間がかかり、発光部の表示オン状態・表示オフ状態が素早く切り替えられている場合は、プロジェクタの駆動処理完了間近であることを、感覚的に把握することができる。従って、本発明のプロジェクタは、駆動処理の進行状況、および、駆動処理完了まであとどのくらいであるかを、ユーザに対し分かりやすく報知することができる。
【００１０】
さらに、前述したように、本発明のプロジェクタは、発光部の表示オン状態・表示オフ状態の切替間隔を変化させることで駆動処理の進行状況を報知するので、発光部の発光色を変化させる必要はない。従って、発光部は、一種の発光色を発光できればよく、一体型ＬＥＤなど複雑な構成でなくてよいため、本発明のプロジェクタは、簡単な構成で駆動処理の進行状況をユーザに報知することができる。
また、同様に、本発明のプロジェクタでは、発光部の表示オン状態・表示オフ状態の切替間隔を変化させることで駆動処理の進行状況を報知するので、発光部は１つでよい。従って、本発明のプロジェクタは、発光部を複数備える必要がないので、簡単な構成で駆動処理の進行状況をユーザに報知することができる。
【００１１】
本発明では、前記点灯切替制御部は、前記進行度取得部により取得された進行度が進むにつれて、前記発光部の表示オン状態・表示オフ状態が１回ずつ同間隔で切り替えられる周期を序々に短くしながら、前記発光部の切替制御を行うことが好ましい。
本発明によれば、電源オン処理または電源オフ処理が進むにつれて、発光部の表示切替の周期が短縮されることで、表示オン状態・表示オフ状態の切替間隔が短くなっていく。すなわち、ユーザにとって発光部の表示切替の変化が分かりやすくなる。従って、ユーザは、発光部の表示切替間隔から、プロジェクタの駆動処理の進行状況、および、駆動処理完了まであとどのくらいであるかを把握することができるので、本発明のプロジェクタは、駆動処理の進行状況をユーザに対し分かりやすく報知することができる。
【００１２】
本発明では、前記点灯切替制御部は、前記進行度取得部により取得された進行度が進むにつれて、前記発光部の表示オン状態および表示オフ状態のいずれか一方の間隔を、表示オン状態および表示オフ状態のいずれか他方の間隔に序々に近づけながら、前記発光部の切替制御を行うことが好ましい。
本発明によれば、発光部の表示切替は、電源オン処理または電源オフ処理開始時には、表示オン状態時間および表示オフ状態時間のいずれか一方が長く、電源オン処理または電源オフ処理が進むにつれて、このいずれか一方の時間間隔が短くなっていき、表示オン状態時間および表示オフ状態時間が同間隔に近づいていく。すなわち、発光部の点灯挙動は、電源オン処理または電源オフ処理が進行するにつれて、ほぼ表示オン状態（表示オフ状態）から表示オン状態・表示オフ状態の繰り返しへと変化することになり、駆動処理開始時における発光部のほぼ表示オン状態（表示オフ状態）の意味を予めユーザが理解していることを前提とすれば、ユーザにとって発光部の点灯状況から駆動処理の進行状況を把握しやすくなる。従って、本発明のプロジェクタは、駆動処理の進行状況をユーザに対し分かりやすく報知することができる。
【００１３】
本発明では、発光色の異なる２つの前記発光部を備え、前記点灯切替制御部は、２つの前記発光部の表示オン状態・表示オフ状態をそれぞれ交互に切り替える制御を行うことが好ましい。
本発明によれば、発光色の異なる２つの発光部が交互に表示オン状態・表示オフ状態に切り替えられ、プロジェクタの電源オン処理または電源オフ処理が進むにつれて、この２つの発光部による発光色の切替が序々に短くなっていく。従って、ユーザは、発光色の切替間隔から、プロジェクタの駆動処理の進行状況、および、駆動処理完了まであとどのくらいであるかを把握することができるので、本発明のプロジェクタは、駆動処理の進行状況をユーザに対し分かりやすく報知することができる。
【００１４】
本発明では、前記進行度取得部は、前記入力信号取得部により前記駆動指示信号が取得されると、前記光源ランプの周辺温度を取得し、前記点灯切替制御部は、前記進行度取得部により取得された前記光源ランプの周辺温度に基づいて、前記発光部の表示オン状態・表示オフ状態の切替制御を行うことが好ましい。
【００１５】
従来、プロジェクタの電源オン・オフ時には、光源ランプのクールダウン完了を持って電源オン処理および電源オフ処理の完了としている。
本発明によれば、光源ランプのクールダウンの進行度を、光源ランプの周辺温度から判断している。このため、発光部の表示オン状態・表示オフ状態の切替間隔を、光源ランプの実際の冷却状況、すなわち、電源オフ処理および電源オン処理の実際の進行状況に即して変化させることができる。従って、例えば、なんらかの理由で光源ランプの冷却が遅れたとしても、発光部の表示切替間隔の変化もそれに即して遅れることとなるため、ユーザにプロジェクタの正しい駆動状況を報知することができる。
【００１６】
本発明では、前記進行度取得部は、前記入力信号取得部により前記駆動指示信号が取得されると、計時手段に計時を開始させて、前記駆動指示信号取得時からの経過時間を取得し、前記点灯切替制御部は、前記進行度取得部により取得された前記経過時間に基づいて、前記発光部の表示オン状態・表示オフ状態の切替制御を行うことが好ましい。
【００１７】
本発明によれば、電源オン処理または電源オフ処理の進行度を、駆動指示信号取得時、すなわち、駆動処理開始時からの経過時間から判断している。従って、本発明のプロジェクタは、簡単な構成および制御によって、電源オン処理または電源オフ処理の進行度を把握することができる。
【発明を実施するための最良の形態】
【００１８】
図を用いて、本発明の実施形態を説明する。なお、各実施形態の説明にあたって、同一構成要件については、同一符号を付し、その説明を省略する。
＜第１実施形態＞
図１〜図５を用いて、本発明の第１実施形態を説明する。
〔プロジェクタ１の構成〕
プロジェクタ１は、光源ランプ２１１から射出された光束を画像情報に応じて変調して光学像を形成し、当該光学像をスクリーン等の投写面上に拡大投射する光学機器である。プロジェクタ１は、外装筐体（図示略）内において光学像の形成および拡大投射を行う光学ユニット２（図１）を備えている。
〔光学ユニット２の構成〕
図１は、プロジェクタ１に内蔵された光学ユニット２の光学系の構成を示す模式平面図である。
光学ユニット２は、光源装置２１と、インテグレータ照明光学系２２と、色分離光学系２３と、リレー光学系２４と、光学装置２５と、投射光学装置としての投射レンズ２６と、これらを内部に収納する光学部品用筐体（図示略）と、投射レンズ２６を保持固定するヘッド体（図示省略）とを備えて構成されている。
【００１９】
光源装置２１は、高圧放電ランプからなる光源ランプ２１１と、リフレクタ２１２と、防爆ガラス２１３とを備えて構成されている。そして、この光源装置２１は、光源ランプ２１１から射出された放射状の光線をリフレクタ２１２で反射して平行光線とし、この平行光線を、防爆ガラス２１３を介して外部へと射出する。
【００２０】
このうち、光源ランプ２１１は、ガラスから成る放電管と、放電管内に対向して配置された陽極電極および陰極電極とを備えている。放電管には、水銀および希ガス等が封入されている。両電極は、高融点金属棒から成り、それぞれ導通を得るためのタングステン棒およびリード線等が接続されている。
また、リフレクタ２１２としては、放物面鏡を採用しているが、放物面鏡の代わりに、平行化凹レンズおよび楕円面鏡を組み合わせたものを採用してもよい。
【００２１】
防爆ガラス２１３は、リフレクタ２１２の開口部分を閉塞する透光性のガラス部材であり、光源ランプ２１１が破裂した場合に、当該光源ランプ２１１の破片が外部に飛散しないように構成されている。
なお、光源装置１の近傍には、温度センサ６が取り付けられている。温度センサ６は、抵抗値に温度特性を有するサーミスタを備えている。そして、温度センサ６は、光源ランプ２１１のランプ周辺温度ＴＭＰに対応するサーミスタの抵抗値データを検出し、後述する制御手段５に出力している。
【００２２】
インテグレータ照明光学系２２は、光学装置２５を構成する後述する３つの液晶パネル２５１の画像形成領域をほぼ均一に照明するための光学系である。このインテグレータ照明光学系２２は、第１レンズアレイ２２１と、第２レンズアレイ２２２と、偏光変換素子２２３と、重畳レンズ２２４とを備えている。
【００２３】
第１レンズアレイ２２１は、光軸方向から見てほぼ矩形状の輪郭を有する小レンズがマトリクス状に配列された構成を有し、各小レンズは、光源装置２１から射出された光束を複数の部分光束に分割している。
第２レンズアレイ２２２は、第１レンズアレイ２２１と略同様な構成を有しており、小レンズがマトリクス状に配列された構成を有している。この第２レンズアレイ２２２は、重畳レンズ２２４とともに、第１レンズアレイ２２１の各小レンズの像を後述する液晶パネル２５１上に結像させる機能を有する。
【００２４】
偏光変換素子２２３は、第２レンズアレイ２２２と重畳レンズ２２４との間に配設される。このような偏光変換素子２２３は、第２レンズアレイ２２２からの光を略１種類の直線偏光に変換するものであり、これにより、光学装置２５での光の利用効率が高められている。
【００２５】
具体的に、偏光変換素子２２３によって略１種類の直線偏光に変換された各部分光は、重畳レンズ２２４によって最終的に光学装置２５の後述する液晶パネル２５１上にほぼ重畳される。偏光光を変調するタイプの液晶パネル２５１を用いたプロジェクタ１では、１種類の直線偏光しか利用できないため、他種類のランダムな偏光光を発する光源ランプ２１１からの光のほぼ半分が利用されない。そこで、偏光変換素子２２３を用いることにより、光源ランプ２１１から射出された光束を略１種類の直線偏光に変換し、光学装置２５での光の利用効率を高めている。
【００２６】
色分離光学系２３は、２枚のダイクロイックミラー２３１，２３２と、反射ミラー２３３とを備え、ダイクロイックミラー２３１，２３２により、インテグレータ照明光学系２２から射出された複数の部分光束を赤（Ｒ）、緑（Ｇ）、青（Ｂ）の３色の色光に分離する機能を有している。
【００２７】
リレー光学系２４は、入射側レンズ２４１と、リレーレンズ２４３と、反射ミラー２４２，２４４とを備え、色分離光学系２３で分離された色光である赤色光を光学装置２５の後述する赤色光用の液晶パネル２５１Ｒまで導く機能を有している。
【００２８】
この際、色分離光学系２３のダイクロイックミラー２３１では、インテグレータ照明光学系２２から射出された光束の赤色光成分と緑色光成分とが透過するとともに、青色光成分が反射する。ダイクロイックミラー２３１によって反射した青色光は、反射ミラー２３３で反射し、フィールドレンズ２５５を通って、光学装置２５の後述する青色光用の液晶パネル２５１Ｂに到達する。このフィールドレンズ２５５は、第２レンズアレイ２２２から射出された各部分光束をその中心軸（主光線）に対して平行な光束に変換する。他の緑色光用、赤色光用の光変調装置の光束入射側に設けられたフィールドレンズ２５５も同様である。
【００２９】
また、ダイクロイックミラー２３１を透過した赤色光と緑色光のうちで、緑色光は、ダイクロイックミラー２３２によって反射し、フィールドレンズ２５５を通って、緑色光用の液晶パネル２５１Ｇに到達する。一方、赤色光は、ダイクロイックミラー２３２を透過してリレー光学系２４を通り、さらにフィールドレンズ２５５を通って、赤色光用の液晶パネル２５１Ｒに到達する。
【００３０】
なお、赤色光にリレー光学系２４が用いられているのは、赤色光の光路の長さが他の色
光の光路の長さよりも長いため、光の発散等による光の利用効率の低下を防止するためである。すなわち、入射側レンズ２４１に入射した部分光束をそのまま、フィールドレンズ２５５に伝えるためである。なお、リレー光学系２４には、３つの色光のうち赤色光を通す構成としたが、これに限らず、例えば、青色光、緑色光を通す構成としてもよい。
【００３１】
光学装置２５は、入射された光束を画像情報に応じて変調してカラー画像を形成するものである。光学装置２５は、色分離光学系２３で分離された各色光が入射される３つの入射側偏光板２５２と、各入射側偏光板２５２の光路後段に配置される３つの液晶パネル２５１（赤色光用の液晶パネルを２５１Ｒ、緑色光用の液晶パネルを２５１Ｇ、青色光用の液晶パネルを２５１Ｂとする）と、各液晶パネル２５１の光路後段に配置される３つの射出側偏光板２５３と、クロスダイクロイックプリズム２５４とを備える。
【００３２】
そして、これら入射側偏光板２５２、液晶パネル２５１、射出側偏光板２５３、およびクロスダイクロイックプリズム２５４は、一体的に装置化されている。なお、入射側偏光板２５２、液晶パネル２５１、および、射出側偏光板２５３は、具体的な図示は省略するが、所定の間隔を空けて配置されている。
【００３３】
入射側偏光板２５２は、偏光変換素子２２３で偏光方向が略一方向に揃えられた各色光が入射され、入射された光束のうち、偏光変換素子２２３で揃えられた光束の偏光軸と略同一方向の偏光光のみ透過させ、その他の光束を吸収するものである。この入射側偏光板２５２は、例えば、サファイアガラスまたは水晶等の透光性基板上に偏光膜が貼付された構成を有している。
【００３４】
液晶パネル２５１は、一対の透明ガラス基板に電気光学物質である液晶が密閉封入された構成を有し、後述する制御手段５から出力される制御信号に応じて、画像形成領域内にある前記液晶の配向状態が制御され、入射側偏光板２５２から射出された偏光光束の偏光方向を変調する。なお、液晶パネル２５１は、本発明の光変調装置に相当する。
射出側偏光板２５３は、入射側偏光板２５２と略同様の構成であり、液晶パネル２５１の画像形成領域から射出された光束のうち、入射側偏光板２５２における光束の透過軸と直交する偏光軸を有する光束のみ透過させ、その他の光束を吸収するものである。
【００３５】
クロスダイクロイックプリズム２５４は、射出側偏光板２５３から射出された色光毎に変調された光学像を合成してカラー画像を形成する光学素子である。このクロスダイクロイックプリズム２５４は、４つの直角プリズムを貼り合わせた平面視正方形状をなし、直角プリズム同士を貼り合わせた界面には、４つの誘電体多層膜が形成されている。これら誘電体多層膜は、液晶パネル２５１Ｒ，２５１Ｂから射出され射出側偏光板２５３を介した各色光を反射し、液晶パネル２５１Ｇから射出され射出側偏光板２５３を介した緑色光を透過する。このようにして、各液晶パネル２５１Ｒ，２５１Ｇ，２５１Ｂにて変調された各色光が合成され、カラー画像が形成される。
【００３６】
投射レンズ２６は、鏡筒内に複数のレンズ、および、入射光束を偏向するミラーが収納された構成を有し、光学装置２５から射出されたカラー画像を拡大し投射するものである。この投射レンズ２６は、光学装置２５の光束射出側に配置され、後述するヘッド体に固定されている。
【００３７】
光学部品用筐体は、内部に所定の照明光軸Ａが設定され、上述した光学部品２４〜２５を照明光軸Ａに対する所定位置に配置する。
ヘッド体は、例えばアルミニウム合金またはマグネシウム合金等の金属材料から構成され、光学装置２５および投射レンズ２６を一体化するとともに、一体化した装置を光学部品用筐体に対して取付けるものである。
【００３８】
図２は、プロジェクタ１の内部構成、および、制御手段５の機能的構成を説明するためのブロック図である。
プロジェクタ１は、前述した光学ユニット２の他に、光源ランプ２１１を冷却する冷却ユニット（図示略）と、光源ランプ２１１を加熱する加熱ユニット（図示略）と、プロジェクタ１の筐体外面に露出して設けられた発光部としての橙色ＬＥＤ（Light Emitting Diode）３１および緑色ＬＥＤ３２と、操作手段４と、これら各構成の制御を行う制御手段５とを備えている。
【００３９】
このうち、冷却ユニットは、複数の冷却ファンを備えている。冷却ユニットは、後述する制御手段５による制御に従ってこれら冷却ファンが回転することで、光源ランプ２１１および液晶パネル２５１等を空冷する。
また、加熱ユニットは、光源ランプ２１１の発光管に巻きつけられた電熱線（図示略）と、当該電熱線に電圧を印加する電圧印加部（図示略）とから構成される。加熱ユニットは、電圧印加部が、後述する制御手段５による制御に従って電熱線に電圧を印加し、電熱線で発生する熱によって光源ランプ２１１を加熱する。
橙色ＬＥＤ３１および緑色ＬＥＤ３２は、プロジェクタ１の外装筐体（図示略）外面に露出して設けられている。橙色ＬＥＤ３１および緑色ＬＥＤ３２は、それぞれ橙色光および緑色光を発光し、後述する制御手段５の制御に従って点灯・消灯する。
操作手段４は、操作パネルと、複数の操作ボタンとを備えている。操作手段４は、操作ボタンの入力操作に応じて、プロジェクタ１の駆動を指示する駆動指示信号を後述する制御手段５に出力する。駆動指示信号として、例えば、プロジェクタ１の電源オン／オフを指示する電源オン／オフ指示信号等が挙げられる。
【００４０】
〔制御手段５の構成〕
制御手段５は、プロジェクタ１の装置本体を制御するための制御回路である。ここでは、主にプロジェクタ１の電源オン処理に関わる機能的構成を説明する。制御手段５は、制御手段５に入力する入力信号を処理する入力信号取得部５１と、プロジェクタ１の電源オン処理を実行する電源オン処理部５２と、電源オフ処理部（図示略）と、記憶部５３と、プロジェクタ１の通常時の駆動処理を実行する通常駆動処理部５４と、ＬＥＤ駆動部５５，５６とを備えている。
【００４１】
このうち、記憶部５３には、制御手段５内の機能的構成によって処理されるプログラムや各種データが格納されている。記憶部５３に格納されるプログラムとして、例えば、プロジェクタ駆動プログラム、電源オンプログラムおよび電源オフプログラム等が挙げられる。さらに、記憶部５３には、詳しくは後述するが、プロジェクタ１の電源オン処理に用いられる基準ランプ周辺温度ＴＭＰＯＮ，ＷＴＭＰＯＮおよび、点滅データベース５３１が格納されている。
【００４２】
通常駆動処理部５４は、プロジェクタ１の電源オン／オフ処理を除く通常の駆動処理を行う。通常駆動処理部５４は、例えば、入力する画像情報を処理する画像情報処理部、画像情報処理部により処理された画像情報に応じて液晶パネル２５１を駆動する液晶パネル駆動部、冷却ユニットを制御し光源ランプ２１１および液晶パネル２５１のクールダウンを実行する冷却処理部、および、加熱ユニットを制御し光源ランプ２１１のウォームアップを実行する冷却処理部等を備えている。
ＬＥＤ駆動部５５，５６は、後述する電源オン処理部５２による制御に従って、それぞれ橙色ＬＥＤ３１、緑色ＬＥＤ３２の点灯・消灯の切替を行う。
【００４３】
電源オン処理部５２は、操作手段４から出力された電源オン指示信号が入力信号取得部５１により取得されると、プロジェクタ１を起動させ、光学ユニット２に投射可能な環境を設定する電源オン処理を行う。電源オン処理部５２は、点灯判定部５２０と、駆動処理部としての初期化処理部５２１と、進行度取得部としてのランプ周辺温度取得部５２２と、点灯切替制御部５２３と、ＬＥＤ制御部５２４とを備えている。
【００４４】
点灯判定部５２０は、入力信号取得部５１により電源オン指示信号が取得されると、後述する光源ランプ２１１のランプ周辺温度ＴＭＰに基づき、初期化処理において光源ランプ２１１のクールダウンを行うか否かを判定する。具体的には、点灯判定部５２０は、ランプ周辺温度ＴＭＰが、光源ランプ２１１が点灯可能な最大限界温度である点灯基準ランプ周辺温度ＴＭＰＯＮ以下であるか否かを判定する。
【００４５】
初期化処理部５２１は、点灯判定部５２０によりランプ周辺温度ＴＭＰが点灯基準ランプ周辺温度ＴＭＰＯＮより大きいと判定されると、光源ランプ２１１のクールダウンを含む初期化処理を行う。具体的には、初期化処理部５２１は、冷却処理部および冷却ユニットによる光源ランプ２１１のクールダウン、および、初期化データに基づく光学ユニット２等の起動などを行う。
【００４６】
一方、点灯判定部５２０によりランプ周辺温度ＴＭＰが点灯基準ランプ周辺温度ＴＭＰＯＮより小さいと判定されると、初期化処理部５２１は、ランプ周辺温度ＴＭＰが、光源ランプ２１１が点灯可能な最低限界温度である点灯基準ランプ周辺温度ＷＴＭＰＯＮ以上であるか否かを判定する。ランプ周辺温度ＴＭＰが、点灯基準ランプ周辺温度ＷＴＭＰＯＮ以上と判定されると、初期化処理部５２１は、光源ランプ２１１のクールダウンおよびウォーアップを含まない初期化処理を行う。
一方、ランプ周辺温度ＴＭＰが、点灯基準ランプ周辺温度ＷＴＭＰＯＮ未満と判定されると、初期化処理部５２１は、光源ランプ２１１のウォーアップを含む初期化処理を行う。ウォーアップを含む初期化処理の詳細については、後述する。
【００４７】
以下の各構成の作用は、点灯判定部５２０によりランプ周辺温度ＴＭＰが点灯基準ランプ周辺温度ＴＭＰＯＮより大きいと判定された場合における作用である。
ランプ周辺温度取得部５２２は、光源ランプ２１１のランプ周辺温度ＴＭＰを取得する。具体的には、ランプ周辺温度取得部５２２は、温度センサ６から出力された抵抗値データを取得し、当該抵抗値データに対応するランプ周辺温度ＴＭＰを解析する。
【００４８】
点灯切替制御部５２３は、ランプ周辺温度取得部５２２で取得されたランプ周辺温度ＴＭＰに応じて、ＬＥＤ３１，３２の点灯・消灯の切替を調整する。点灯切替制御部５２３は、温度比較部５２３１と、点滅データ取得部５２３２とを備えている。
温度比較部５２３１は、まず、記憶部５３に記録されている基準ランプ周辺温度ＴＭＰＯＮを読み込み、ランプ周辺温度取得部５２２で取得されたランプ周辺温度ＴＭＰが、当該基準ランプ周辺温度ＴＭＰＯＮ以下であるか否かを判定する。
点滅データ取得部５２３２は、記憶部５３に格納された点滅データベースを探索し、基準ランプ周辺温度ＴＭＰＯＮに対応する点滅データＤを読み取る。なお、この点滅データ取得部５２３２の具体的な作用については後述する。
ＬＥＤ制御部５２４は、点滅データ取得部５２３２で読み取られた点滅データＤに基づいて、ＬＥＤ駆動部５５，５６を制御してＬＥＤ３１，３２の点灯・消灯を切替させる。
なお、点灯切替制御部５２３は、ＬＥＤ制御部５２４を含めて本発明の点灯切替制御部に相当する。
【００４９】
なお、ランプ周辺温度ＴＭＰが点灯基準ランプ周辺温度ＷＴＭＰＯＮ未満の場合、電源オン処理部５２は、光源ランプ２１１のウォームアップを含む初期化処理を行う。
この光源ランプ２１１のウォームアップを含む初期化処理は、前述した電源オン処理部の各構成５２０〜５２４によって実行され、各構成５２０〜５２４における作用は、前述した光源ランプ２１１のクールダウンを含む初期化処理とほぼ同様である。
【００５０】
すなわち、ランプ周辺温度ＴＭＰが点灯基準ランプ周辺温度ＷＴＭＰＯＮ未満と判定されると、初期化処理部５２１は、光源ランプ２１１のウォームアップを含む初期化処理を行う。具体的には、初期化処理部５２１は、加熱処理部（図示略）および加熱ユニット（図示略）による光源ランプ２１１のウォームアップ、および、初期化データに基づく光学ユニット２等の起動などを行う。
そして、温度比較部５２３１は、記憶部５３に記録されている基準ランプ周辺温度ＷＴＭＰＯＮを読み込み、ランプ周辺温度取得部５２２により取得されたランプ周辺温度ＴＭＰが、当該基準ランプ周辺温度ＴＭＰＯＮ以上であるか否かを判定する。
【００５１】
〔制御手段５の作用〕
次に、図２〜４を参照して、制御手段５の作用を説明する。制御手段５は、電源オン指示信号に応じてプロジェクタ１の電源オン処理を実行する。  
図３は、この電源オン処理を説明するためのフロー図である。
入力信号取得部５１は、制御手段５に入力する入力信号を監視しており、操作手段４から出力する電源オン指示信号が入力したか否かを判定している（Ｓ１）。電源オン指示信号が入力しない場合、入力信号取得部５１は、入力信号の監視を続行する。
【００５２】
一方、電源オン指示信号が入力した場合、電源オン処理部５２を構成するランプ周辺温度取得部５２２は、温度センサ６から出力される抵抗値データを取得し、当該抵抗値データを解析して光源ランプ２１１のランプ周辺温度ＴＭＰ〔℃〕を取得する（Ｓ２）。
そして、点灯判定部５２０は、記憶部５３に格納された点灯基準ランプ周辺温度ＴＭＰＯＮ＝ｔｍｐ（３）（表１）の値を求め、処理Ｓ２で取得されたランプ周辺温度ＴＭＰが点灯基準ランプ周辺温度ｔｍｐ（３）以下であるか否かを判定する（Ｓ３）。
【００５３】
なお、本実施形態では、引き数ｃ＝３に対応するｔｍｐ（３）の値に、点灯基準ランプ周辺温度ＴＭＰＯＮを設定している。従って、処理Ｓ３では、点灯判定部５２０は、点灯基準ランプ周辺温度ＴＭＰＯＮとして、記憶部５３からｔｍｐ（３）を読み取っている。また、本実施形態では、後述する表１に示すように、点灯基準ランプ周辺温度ＴＭＰＯＮ＝ｔｍｐ（３）を、実験値により５５〔℃〕としている。
【００５４】
ランプ周辺温度ＴＭＰが点灯基準ランプ周辺温度ｔｍｐ（３）以下である場合、点灯判定部５２０は、ランプ周辺温度ＴＭＰが点灯基準ランプ周辺温度ＷＴＭＰＯＮ＝ｗｔｍｐ（３）以上であるか否かを判定する（Ｓ４）。なお、本実施形態では、後述する表２に示すように、引き数ｃ＝３に対応するｗｔｍｐ（３）の値に、点灯基準ランプ周辺温度ＷＴＭＰＯＮ＝０〔℃〕を設定している。
ランプ周辺温度ＴＭＰが点灯基準ランプ周辺温度ｗｔｍｐ（３）以上である場合、初期化処理部５２１は、プロジェクタ１内の各構成に制御信号を出力して、光源ランプ２１１のクールダウンおよびウォームアップを含まない初期化処理を開始する（Ｓ２１）。初期化処理が完了すると、通常駆動部５４は、バラスタを制御して光源ランプ２１１を点灯させる。その後、通常駆動部５４は、画像情報処理および液晶パネル２５１の駆動を行って投射レンズ２６から投射画像を投射させ、プロジェクタ１を通常駆動させる（Ｓ２２）。
【００５５】
一方、ランプ周辺温度ＴＭＰが点灯基準ランプ周辺温度ｗｔｍｐ（３）未満である場合、初期化処理部５２１は、光源ランプ２１１のウォームアップを含む初期化処理を開始する（Ｓ１３）。このウォームアップを含む初期化処理における作用については、後に後述する。
【００５６】
処理Ｓ３において、ランプ周辺温度ＴＭＰが点灯基準ランプ周辺温度ｔｍｐ（３）より大きい場合、初期化処理部５２１は、プロジェクタ１内の各構成に制御信号を出力して、光源ランプ２１１のクールダウンを含む初期化処理を開始する（Ｓ５）。特に、初期化処理部５２１は、冷却処理部に制御信号を出力し、冷却ユニットに光源ランプ２１１のクールダウンを開始させる。
ここで、電源オン処理部５２は、引き数ｃ＝１を設定する（Ｓ６）。
【００５７】
点滅データ取得部５２３２は、引き数ｃに基づいて記憶部５３に格納された点滅データベース５３１（図４）を探索し、引き数ｃに対応する点滅データＤを読み込む（Ｓ７）。例えば、引き数ｃ＝１の場合、図４に示すように、点滅データＤは、橙点灯間隔すなわち橙色ＬＥＤ３１の点灯間隔が４．５〔ｓ〕、緑点灯間隔すなわち緑色ＬＥＤ３２の点灯間隔が０．５〔ｓ〕である。
【００５８】
そして、ＬＥＤ制御部５２４は、処理Ｓ７で読み込まれた点滅データＤに基づいて、ＬＥＤ駆動部５５，５６を制御し、ＬＥＤ３１，３２の点灯・消灯を切り替える（Ｓ８）。例えば、点滅データＤが前述の例である場合、ＬＥＤ制御部５２４は、ＬＥＤ駆動部５５，５６を制御して、橙色ＬＥＤ３１を点灯４．５秒および消灯０．５秒で点滅させ、緑色ＬＥＤ３２を点灯０．５秒消灯４．５秒で点滅させる。なお、橙色ＬＥＤ３１および緑色ＬＥＤ３２は、点灯および消灯を交互に繰り返している。
【００５９】
次に、電源オン処理部５２は、引き数ｃがｃ＝４であるか否かを判定する（Ｓ９）。引き数ｃ＝４でない場合、電源オン処理部５２は処理Ｓ１０へ進む。
一方、引き数ｃ＝４である場合、処理Ｓ２２へ進み、通常駆動部５４は、光源ランプ２１１を点灯させてプロジェクタ１を通常駆動させる。
【００６０】
処理Ｓ１０において、ランプ周辺温度取得部５２２は、温度センサ６から出力される抵抗値データを取得し、当該抵抗値データを解析して光源ランプ２１１のランプ周辺温度ＴＭＰを取得する。
そして、温度比較部５２３１は、引き数ｃを用いて基準ランプ周辺温度ＴＭＰＯＮ＝ｔｍｐ（ｃ）の値を求める。なお、引き数ｃに応じたｔｍｐ（ｃ）の値は、予め、表１に示すように設定され、記憶部５３に記録されている。例えば、引き数ｃ＝１のとき基準ランプ周辺温度ＴＭＰＯＮ＝ｔｍｐ（１）＝６５〔℃〕である。
【００６１】
【表１】
2007248870.tif 000003
【００６２】
温度比較部５２３１は、処理Ｓ１０で取得されたランプ周辺温度ＴＭＰと基準ランプ周辺温度ｔｍｐ（ｃ）とを比較して、ランプ周辺温度ＴＭＰが基準ランプ周辺温度ｔｍｐ（ｃ）以下であるか否かを判定する（Ｓ１１）。ランプ周辺温度ＴＭＰが基準ランプ周辺温度ｔｍｐ（ｃ）より高い場合、処理Ｓ１０に戻り、ランプ周辺温度取得部５２２は、再度、光源ランプ２１１のランプ周辺温度ＴＭＰを取得する。
一方、ランプ周辺温度ＴＭＰが基準ランプ周辺温度ｔｍｐ（ｃ）以下である場合、電源オン処理部５２は、引き数ｃに対しｃ＝ｃ＋１の計算を行う（Ｓ１２）。そして、処理Ｓ７に戻り、点滅データ取得部５２３２は、点滅データベース５３１（図４）を探索して引き数ｃに対応する点滅データＤを読み込む。
【００６３】
なお、処理Ｓ９において引き数ｃ＝４である場合、処理Ｓ２２へ移行して、プロジェクタ１の通常駆動を実行した。これは、電源オン処理部５２が、光源ランプ２１１のクールダウンが完了したと判断したためである。
具体的には、表１に示すように、引き数ｃ＝３の基準ランプ周辺温度ＴＭＰＯＮがｔｍｐ（３）＝５５〔℃〕であり、この温度は、前述したように光源ランプ２１１の点灯基準ランプ周辺温度ＴＭＰＯＮである。すなわち、処理Ｓ１１において、点灯基準ランプ周辺温度ｔｍｐ（３）≧ランプ周辺温度ＴＭＰと判定されたことで、処理Ｓ１２において引き数ｃ＝４を得ることから、電源オン処理部５２は、処理Ｓ９において引き数ｃ＝４である場合、光源ランプ２１１のクールダウンが完了したと判断できるのである。
【００６４】
次に、光源ランプ２１１のウォームアップを含む初期化処理において、制御手段５が実行する作用について説明する。このウォームアップ時における制御手段５の作用は、前述したクールダウン時の作用とほぼ同様である。
すなわち、処理Ｓ１３において、初期化処理部５２１は、光源ランプ２１１のウォームアップを含む初期化処理を開始する。そして引き数ｃ＝１を設定し（S１４）、点滅データベース５３１（図４）から引き数ｃに対応する点滅データＤを読み込み（S１５）、読み込まれた点滅データＤに基づいて、ＬＥＤ３１，３２の点灯・消灯を切り替える（Ｓ１６）。
【００６５】
次に、電源オン処理部５２は、引き数ｃがｃ＝４であるか否かを判定する（Ｓ１７）。引き数ｃ＝４である場合、通常駆動部５４は、処理Ｓ２２へ進み光源ランプ２１１を点灯させてプロジェクタ１を通常駆動させる。
一方、引き数ｃがｃ＝４でない場合、ランプ周辺温度取得部５２２がランプ周辺温度ＴＭＰを取得する（Ｓ１８）。次に、温度比較部５２３１は、引き数ｃを用いて基準ランプ周辺温度ＷＴＭＰＯＮ＝ｗｔｍｐ（ｃ）の値を求める。なお、引き数ｃに応じたｗｔｍｐ（ｃ）の値は、予め、表２に示すように設定され、記憶部５３に記録されている。例えば、引き数ｃ＝１のとき基準ランプ周辺温度ＷＴＭＰＯＮ＝ｗｔｍｐ（１）＝−５〔℃〕である。
【００６６】
【表２】
2007248870.tif 000004
【００６７】
温度比較部５２３１は、処理Ｓ１８で取得されたランプ周辺温度ＴＭＰが、基準ランプ周辺温度ｗｔｍｐ（ｃ）以上であるか否かを判定する（Ｓ１９）。ランプ周辺温度ＴＭＰが基準ランプ周辺温度ｗｔｍｐ（ｃ）未満の場合、処理Ｓ１８に戻り、再度、ランプ周辺温度ＴＭＰを取得する。
一方、ランプ周辺温度ＴＭＰが基準ランプ周辺温度ＷＴＭＰＯＮ＝ｔｍｐ（ｃ）以上である場合、引き数ｃに対しｃ＝ｃ＋１の計算を行う（Ｓ２０）。そして、処理Ｓ１５に戻り、点滅データ取得部５２３２は、点滅データベース５３１（図４）から引き数ｃに対応する点滅データＤを読み込む。
【００６８】
なお、処理Ｓ１７において引き数ｃ＝４である場合、処理Ｓ２２へ移行して、プロジェクタ１の通常駆動を実行した。
これは、電源オン処理部５２が、光源ランプ２１１のウォームアップが完了したと判断したためである。すなわち、表２に示すように、引き数ｃ＝３の基準ランプ周辺温度ＷＴＭＰＯＮがｗｔｍｐ（３）＝０〔℃〕であり、この温度は、前述したように、光源ランプ２１１を安定的に点灯させるために、最低限必要な点灯基準ランプ周辺温度ＴＭＰＯＮとして設定されている。
従って、処理Ｓ１７においてｃ＝４である場合、既に処理Ｓ１９において、点灯基準ランプ周辺温度ｗｔｍｐ（３）≦ランプ周辺温度ＴＭＰと判定されていると判断できるため、電源オン処理部５２は、ウォームアップが完了したと判断するのである。
【００６９】
本実施形態によれば、次のような効果を奏することができる。
処理Ｓ５において、初期化処理部５２１の初期化処理によって、冷却ユニットが光源ランプ２１１のクールダウンを開始すると、光源ランプ２１１のランプ周辺温度ＴＭＰは序々に低下していく。ここで、前述したように、光源ランプ２１１は、点灯失敗回避のために、ランプ周辺温度ＴＭＰが５５〔℃〕以下である場合に点灯される。
本実施形態では、基準ランプ周辺温度ＴＭＰＯＮ＝ｔｍｐ（ｃ）に、表１に示すように、引き数ｃが増えるに従って６５〔℃〕から５５〔℃〕へ減少する値が設定されている。また、点滅データベース５３１（図４）では、引き数ｃが増えるに従って、橙色ＬＥＤ３１の点灯間隔が短くなるように設定されている。
【００７０】
このような構成によれば、本実施形態における橙色ＬＥＤ３１および緑色ＬＥＤ３２は、次のように点滅する。
図３に示す電源オン処理では、取得されたランプ周辺温度ＴＭＰが、引き数ｃにおける基準ランプ周辺温度ＴＭＰＯＮ以下と判定されると（Ｓ１１）、この引き数ｃに１を加え（Ｓ１２）、算出された引き数ｃに応じた点滅データＤに基づいてＬＥＤ３１，３２を点滅制御する（Ｓ８）。そして再び、ランプ周辺温度ＴＭＰを取得する（Ｓ１０）。
このように、ランプ周辺温度ＴＭＰが低下するにつれて引き数ｃが増加していき、橙色ＬＥＤ３１が、より点滅間隔の短い点滅データＤに基づいて点滅される。すなわち、図５に示すように、ランプ周辺温度ＴＭＰが低下するにつれて、橙色ＬＥＤ３１の点灯間隔が短くなっていく。
【００７１】
図５は、橙色ＬＥＤ３１および緑色ＬＥＤ３２の点滅挙動を模式的に示したグラフである。図５に示すように、電源オン指示信号が入力すると橙色ＬＥＤ３１および緑色ＬＥＤ３２が点滅し始め、ランプ周辺温度ＴＭＰが基準ランプ周辺温度ＴＭＰＯＮ以下に低下するたびに、橙色ＬＥＤ３１の点灯時間は短くなり、電源オン処理完了間近になると、橙色ＬＥＤ３１および緑色ＬＥＤ３２が素早く点滅する。
このように、ランプ周辺温度ＴＭＰの低下に応じて、橙色ＬＥＤ３１の点滅間隔が序々に短くされていく。従って、ユーザは、このＬＥＤ３１，３２の点滅間隔の変化から、プロジェクタ１の電源オン処理完了まであとどのくらいであるかを把握することができる。
【００７２】
＜第２実施形態＞
次に、図６〜図９を用いて、本発明の第２実施形態を説明する。
図６は、第２実施形態に係る制御手段５Ａの機能的構成を示すブロック図である。
第２実施形態の制御手段５Ａは、プロジェクタ１の電源オフ処理を実行する電源オフ処理部５７と、計時手段としてのタイマ５８とを備えている。また、記憶部５３には、詳しくは後述するが、電源オフ処理に用いられる基準経過時間ＴＯＦＦ〔ｓ〕、および、点滅データベース５３１Ａが格納されている。
【００７３】
電源オフ処理部５７は、操作手段４から出力された電源オフ指示信号が入力信号取得部５１により取得されると、プロジェクタ１を電源遮断させる電源オフ処理を行う。
電源オフ処理部５７は、図６に示すように、駆動処理部としての終了処理部５７１と、タイマ制御部５７２と、経過時間取得部５７３と、点灯切替制御部５７４と、ＬＥＤ制御部５７５とを備えている。
終了処理部５７１は、入力信号取得部５１により電源オフ指示信号が取得されると、プロジェクタ１内の装置本体の終了処理を行う。具体的には、終了処理部５７１は、冷却ユニットによる光源ランプ２１１のクールダウン、次回駆動時に初期化データとして用いられる駆動データの保存等を行う。
【００７４】
タイマ制御部５７２は、入力信号取得部５１により電源オフ指示信号が取得されると、タイマ５８に制御信号を出力し、電源オフ指示信号取得時からの経過時間Ｔ〔ｓ〕の計時を開始させる。
経過時間取得部５７３は、タイマ５８により計時される経過時間Ｔを取得する。タイマ制御部５７２および経過時間取得部５７３は、本発明の進行度取得部に相当する。
【００７５】
点灯切替制御部５７４は、経過時間取得部５７３により取得された経過時間Ｔに応じて、ＬＥＤ３１，３２の点灯・消灯の切替を調整する。点灯切替制御部５７４は、経過時間比較部５７４１と、点滅データ取得部５７４２とを備えている。
経過時間比較部５７４１は、記憶部５３に記録されている基準経過時間ＴＯＦＦを読み込み、経過時間取得部５７３で取得された経過時間Ｔが当該基準経過時間ＴＯＦＦ以上であるか否かを判定する。
点滅データ取得部５７４２は、記憶部５３に格納された点滅データベースを探索し、基準経過時間ＴＯＦＦに対応する点滅データを読み取る。なお、この点滅データ取得部５７４２の具体的な作用は後述する。
ＬＥＤ制御部５７５は、点滅データ取得部５７４２で読み取られた点滅データに基づいて、ＬＥＤ駆動部５５，５６を制御してＬＥＤ３１，３２の点灯・消灯を切替させる。
なお、点灯切替制御部５７４は、ＬＥＤ制御部５７５を含めて本発明の点灯切替制御部に相当する。
【００７６】
次に、図７、図８を参照して、制御手段５Ａの作用を説明する。制御手段５Ａは、電源オフ指示信号に応じてプロジェクタ１の電源オフ処理を実行する。  
図７は、この電源オフ処理を説明するためのフロー図である。
入力信号取得部５１は、制御手段５Ａに入力する入力信号を監視しており、操作手段４から出力する電源オフ指示信号が入力したか否かを判定している（ＳＡ１）。電源オフ指示信号が入力しない場合、入力信号取得部５１は、入力信号の監視を続行する。
【００７７】
一方、電源オフ指示信号が入力した場合、電源オフ処理部５７を構成する終了処理部５７１は、プロジェクタ１内の各構成に制御信号を出力して終了処理を開始する（ＳＡ２）。特に、終了処理部５７１は、冷却ユニットを制御して光源ランプ２１１のクールダウンを開始させる。さらに、タイマ制御部５７２は、タイマ５８を駆動して、電源オフ指示信号入力時からの経過時間Ｔの計時を開始させる（ＳＡ３）。
ここで、電源オフ処理部５７は、引き数ｃ＝０を設定する（ＳＡ４）。
【００７８】
点滅データ取得部５７４２は、引き数ｃに基づいて記憶部５３に格納された点滅データベース５３１Ａ（図８）を探索し、引き数ｃに対応する点滅データＤＡを読み込む（ＳＡ５）。例えば、引き数ｃ＝０の場合、図８に示すように、点滅データＤＡは、橙点灯間隔すなわち橙色ＬＥＤ３１の点灯間隔が３〔ｓ〕、緑点灯間隔すなわち緑色ＬＥＤ３２の点灯間隔が３〔ｓ〕である。
【００７９】
そして、ＬＥＤ制御部５７５は、処理ＳＡ５で読み込まれた点滅データＤＡに基づいて、ＬＥＤ駆動部５５，５６を制御し、ＬＥＤ３１，３２の点灯・消灯を切替させる（ＳＡ６）。例えば、点滅データＤＡが前述の例である場合、ＬＥＤ制御部５７５は、ＬＥＤ駆動部５５，５６を制御して、橙色ＬＥＤ３１を点灯３秒および消灯３秒で点滅させ、緑色ＬＥＤ３２を点灯３秒消灯３秒で点滅させる。なお、橙色ＬＥＤ３１および緑色ＬＥＤ３２は、点灯および消灯を交互に繰り返している。
【００８０】
ここで、電源オフ処理部５７は、引き数ｃに対しｃ＝ｃ＋１の計算を行う（ＳＡ７）。そして、電源オフ処理部５７は、処理Ｓ７で算出された引き数ｃが、ｃ＝６であるか否かを判定する（ＳＡ８）。引き数ｃ＝６でない場合、電源オフ処理部５７は処理ＳＡ９へ進む。一方、引き数ｃ＝６である場合、電源オフ処理部５７は、プロジェクタ１の電源を遮断し（ＳＡ１１）、電源オフ処理を終了する。
【００８１】
処理ＳＡ９において、経過時間取得部５７３は、タイマ５８に計時されている経過時間Ｔを取得する。
経過時間比較部５７４１は、引き数ｃを用いて基準経過時間ＴＯＦＦ＝ｃｏｕｎｔ（ｃ）の値を求める。なお、引き数ｃに応じたｃｏｕｎｔ（ｃ）の値は、予め表３に示すように設定されて、記憶部５３に記録されている。例えば、引き数ｃ＝２のとき基準経過時間ＴＯＦＦ＝ｃｏｕｎｔ（２）＝３０〔ｓ〕である。なお、本実施形態では、引き数ｃ＝５に対応する基準経過時間ＴＯＦＦ＝ｃｏｕｎｔ（５）に対し、光源ランプ２１１が十分に冷却されるために必要な所定経過時間が設定されている。
【００８２】
【表３】
2007248870.tif 000005
【００８３】
そして、経過時間比較部５７４１は、処理ＳＡ９で取得された経過時間Ｔをｃｏｕｎｔ（ｃ）と比較して、経過時間Ｔがｃｏｕｎｔ（ｃ）以上であるか否かを判定する（ＳＡ１０）。経過時間Ｔがｃｏｕｎｔ（ｃ）より短い場合、処理ＳＡ９に戻り、経過時間取得部５７３は、再度、タイマ５８に計時されている経過時間Ｔを取得する。
一方、経過時間Ｔがｃｏｕｎｔ（ｃ）以上である場合、処理ＳＡ５に戻り、点滅データ取得部５７４２は、点滅データベース５３１Ａ（図８）を探索し、引き数ｃに対応する点滅データＤＡを読み込む。
【００８４】
なお、処理ＳＡ８において引き数ｃ＝６である場合、処理ＳＡ１１へ移行し、電源オフ処理部５７がプロジェクタ１の電源を遮断した。これは、電源オフ処理部５７が、電源オフ処理が完了したと判断したためである。
具体的には、表３に示すように、引き数ｃ＝５の基準経過時間ＴＯＦＦは、ｃｏｕｎｔ（５）＝１２０〔ｓ〕であり、この１２０〔ｓ〕は、光源ランプ２１１が十分に冷却されるために必要な所定時間として設定されている。すなわち、処理ＳＡ１０において、経過時間Ｔ≧ｃｏｕｎｔ（５）＝１２０〔ｓ〕と判定されたことで、処理ＳＡ７において引き数ｃ＝６を得ていることから、電源オフ処理部５７は、処理Ｓ８において引き数ｃ＝６である場合、電源オフ処理が完了したと判断できるのである。
【００８５】
本実施形態では、処理ＳＡ２において、終了処理部５７１の終了処理によって、冷却ユニットが光源ランプ２１１のクールダウンを開始すると、光源ランプ２１１のランプ周辺温度は序々に低下していく。そして、基準経過時間ＴＯＦＦ＝ｃｏｕｎｔ（ｃ）には、表３に示すように、引き数ｃが増えるに従って０〔ｓ〕から１２０〔ｓ〕へ増加する値が設定されている。また、点滅データベース５３１Ａ（図８）では、引き数ｃが増えるに従って、橙色ＬＥＤ３１および緑色ＬＥＤ３２の点滅間隔が短くなるように設定されている。
【００８６】
本実施形態によれば、次のような効果を奏することができる。
本実施形態における橙色ＬＥＤ３１および緑色ＬＥＤ３２は、次のように点滅する。図７に示す電源オフ処理では、経過時間Ｔが経過するにつれて引き数ｃが増加し、ＬＥＤ３１，３２が、より点滅間隔の短い点滅データＤＡに基づいて点滅される。すなわち、図９に示すように、経過時間Ｔが経過するにつれて、ＬＥＤ３１，３２は段階的に早く点滅される。
【００８７】
図９は、橙色ＬＥＤ３１および緑色ＬＥＤ３２の点滅挙動を模式的に示したグラフである。図９に示すように、経過時間Ｔが基準経過時間ＴＯＦＦを経過するたびに、ＬＥＤ３１，３２の点灯間隔は短くなり、電源オフ処理完了間近では、ＬＥＤ３１，３２が素早く点滅している。
このように、電源オフ処理開始時からの経過時間Ｔの経過に応じて、ＬＥＤ３１，３２の点滅間隔が序々に短くされていく。従って、ユーザは、このＬＥＤ３１，３２の点滅間隔の変化から、プロジェクタ１の電源オフ処理完了まであとどのくらいであるかを把握することができる。
【００８８】
〔前記実施形態の変形〕
本発明を実施するための最良の構成などは、以上の記載で開示されているが、本発明はこれに限定されるものではない。すなわち、前記各実施形態は、本発明を限定するものではないから、それらの形状、材質などの限定の一部若しくは全部の限定を外した部材の名称での記載は、本発明に含まれるものである。
【００８９】
本発明では、橙色ＬＥＤ３１および緑色ＬＥＤ３２の点滅挙動は、電源オン処理および電源オフ処理が進行するにつれて点滅間隔が速くなればよく、各ＬＥＤ３１，３２の点灯・消灯時間、および、点滅間隔の変化量など細部の設定は限定されるものではない。
前記各実施形態では、プロジェクタ１の駆動処理として電源オン処理および電源オフ処理完了を採用したが、本発明ではこれに限らない。さらに、採用された駆動処理に合わせて、進行度も適宜選択すればよい。
前記各実施形態では、発光色の異なる２つのＬＥＤ３１，３２の点滅間隔の変化によって、電源オン処理および電源オフ処理完了の進行状況をユーザに知らせる構成とした。しかしながら、本発明は、１つのＬＥＤの点滅間隔の変化によって処理完了までの時間をユーザに知らせる構成としてもよい。
【００９０】
前記各実施形態では、プロジェクタ１の電源オン時にランプ周辺温度ＴＭＰに基づくＬＥＤ３１，３２の点灯・消灯制御、電源オフ時に経過時間Ｔに基づくＬＥＤ３１，３２の点灯・消灯制御を行うとした。しかしながら、本発明ではこれとは逆に、電源オン時に経過時間Ｔに基づくＬＥＤ３１，３２の点灯・消灯制御、電源オフ時にランプ周辺温度ＴＭＰに基づくＬＥＤ３１，３２の点灯・消灯制御を行ってもよい。
【００９１】
また、第１実施形態では、電源オン指示信号取得時に、点灯判定部５２０による光源ランプ２１１のクールダウンを行うか否かの判定は、ランプ周辺温度ＴＭＰに基づくものであった。しかしながら、本発明では、電源オン指示信号が、再起動信号（前回の電源オフ指示信号取得時から所定時間以内に取得された電源オン指示信号）であるか否かに基づいて、クールダウンを行うか否かを判定してもよい。すなわち、電源オン指示信号が再起動信号である場合、光源ランプ２１１は十分に冷却されていないと考えられるため、初期化処理において光源ランプ２１１のクールダウンが必要となる。
【００９２】
前記各実施形態では、光学ユニット２が平面視略Ｌ字形状を有した構成を説明したが、これに限らず、例えば、平面視略Ｕ字形状を有した構成を採用してもよい。
また、前記各実施形態では、光束入射面と光束射出面とが異なる透過型の液晶パネル２５１を用いていたが、光入射面と光射出面とが同一となる反射型の液晶パネルを用いてもよい。
さらに、前記各実施形態のプロジェクタ１では、３つの液晶パネル２５１Ｒ，２５１Ｇ，２５１Ｂを用いたが、本発明はこれに限らない。すなわち２つ、あるいは、４つ以上の液晶パネルを用いたプロジェクタにも、本発明を適用可能である。
【００９３】
前記各実施形態では、光変調装置として液晶パネル２５１を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶層以外の光変調装置を用いたプロジェクタにも、本発明を適用することも可能である。このような光変調装置を用いた場合、光束入射側および光束射出側の偏光板２５２，２５３は、省略することができる。
【００９４】
前記各実施形態では、光源ランプとして高圧水銀ランプ２１１を採用しているが、本発明では、メタルハライドランプ、ハロゲンランプ、ＬＥＤ（Light Emitting Diode）、レーザ光源等を採用することもできる。
前記各実施形態では、スクリーンを観察する方向から画像投射を行なうフロントタイプのプロジェクタ１のみを例示したが、本発明は、スクリーンを観察する方向とは反対側から画像投射を行なうリアタイプのプロジェクタにも適用可能である。
【図面の簡単な説明】
【００９５】
【図１】本発明の第１実施形態に係るプロジェクタの光学ユニットの光学系を示す模式平面図。
【図２】前記実施形態に係る制御手段およびその周辺部の機能的構成を示すブロック図。
【図３】前記実施形態に係る制御手段の作用を説明するためのフロー図。
【図４】前記実施形態に係る点滅データベースを説明するための模式図。
【図５】前記実施形態に係る橙色ＬＥＤおよび緑色ＬＥＤの点滅挙動を説明するための図。
【図６】本発明の第２実施形態に係る制御手段およびその周辺部の機能的構成を示すブロック図。
【図７】前記実施形態に係る制御手段の作用を説明するためのフロー図。
【図８】前記実施形態に係る点滅データベースを説明するための模式図。
【図９】前記実施形態に係る緑ＬＥＤおよび橙ＬＥＤの点滅挙動を説明するための図。
【符号の説明】
【００９６】
１…プロジェクタ、２１１…光源ランプ、２５１…液晶パネル（光変調装置）、２６…投射レンズ（投射光学装置）、３１…橙色ＬＥＤ（発光部）、３２…緑色ＬＥＤ（発光部）、４…操作手段、５…制御手段、５Ａ…制御手段、５１…入力信号取得部、５２１…初期化処理部（駆動処理部）、５２２…ランプ周辺温度取得部（進行度取得部）、５２３…点灯切替制御部、５２４…ＬＥＤ制御部（点灯切替制御部）、５７１…終了処理部（駆動処理部）、５７２…タイマ制御部（進行度取得部）、５７３…経過時間取得部（進行度取得部）、５７４…点灯切替制御部、５７５…ＬＥＤ制御部（点灯切替制御部）、５８…タイマ（計時手段）、ＴＭＰ…ランプ周辺温度、ＴＭＰＯＮ…基準ランプ周辺温度、Ｔ…経過時間、ＴＯＦＦ…基準経過時間。
【図１】
2007248870.tif 000006
【図２】
2007248870.tif 000007
【図３】
2007248870.tif 000008
【図４】
2007248870.tif 000009
【図５】
2007248870.tif 000010
【図６】
2007248870.tif 000011
【図７】
2007248870.tif 000012
【図８】
2007248870.tif 000013
【図９】
2007248870.tif 000014